(57)【要約】【課題】無線通信中継器を介した無線通信装置の間の無線通信の性能劣化を防ぐこと。【解決手段】無線中継装置は、第１の無線通信装置と自己の間で複数の第１の接続条件により接続された場合の複数の第１の通信速度と、第２の無線通信装置と自己の間で複数の第２の接続条件により接続された場合の複数の第２の通信速度とから、第１の接続条件と第２の接続条件の複数の組合せについて、自己を介した第１の無線通信装置と第２の無線通信装置の間の複数の第３の通信速度を算出する算出部と、現在の無線接続における第１の組合せに対応する第３の通信速度が、当該複数の組合せのうち第２の組合せに対応する第３の通信速度より遅い場合に、当該第１の組合せの接続条件の切り替えが必要と判定する判定部と、判定部により切り替えが必要と判定されたことに応じて、第１の組合せから第２の組合せへの接続条件の切り替えを制御する切替制御部と、を備える。【選択図】図１
2019208116.tif 000002
【特許請求の範囲】
【請求項１】
第１の無線通信装置と自己の間で複数の第１の接続条件のそれぞれにより無線接続された場合の複数の第１の通信速度と、第２の無線通信装置と自己の間で複数の第２の接続条件のそれぞれにより無線接続された場合の複数の第２の通信速度と、を記憶する記憶部と、
前記記憶部を参照して、前記第１の接続条件と前記第２の接続条件の複数の組合せのそれぞれについて、自己を介した前記第１の無線通信装置と前記第２の無線通信装置の間の複数の第３の通信速度を算出する算出部と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定部と、
前記判定部により切り替えが必要と判定されたことに応じて、前記第１の組合せから前記第２の組合せへの接続条件の切り替えを制御する切替制御部と、
を備える無線中継装置。
【請求項２】
前記第１の接続条件は、前記第１の無線通信装置と前記無線中継装置の間の無線接続における第１の通信帯域を含み、
前記第２の接続条件は、前記第２の無線通信装置と前記無線中継装置の間の無線接続における第２の通信帯域を含み、
前記第１の組合せに含まれる前記第１の通信帯域と前記第２の通信帯域は、異なる通信帯域であり、
前記第２の組合せに含まれる前記第１の通信帯域と前記第２の通信帯域は、同一の通信帯域である、
請求項１に記載の無線中継装置。
【請求項３】
前記第１の通信帯域は、
前記無線接続における親機である前記第１の無線通信装置と前記無線中継装置との間の通信帯域であり、
前記第２の通信帯域は、
前記無線接続における子機である前記第２の無線通信装置と前記無線中継装置との間の通信帯域であり、
前記切替制御部は、
前記判定部により切り替えが必要と判定されたことに応じて、前記第２の組合せに含まれる前記第２の通信帯域へ切り替えるように制御する
請求項２に記載の無線中継装置。
【請求項４】
前記第１の通信帯域は、
前記第１の無線通信装置において電波状況に応じて切り替え可能であり、
前記判定部は、
前記複数の組合せのうち、前記現在の無線接続における前記第１の通信帯域と前記第２の通信帯域とを含む組合せを前記第１の組合せとして特定して、前記切り替えの要否を判定する
請求項２又は３に記載の無線中継装置。
【請求項５】
前記無線中継装置は、
前記第１の通信帯域と前記第２の通信帯域とが異なるように前記無線接続を制御するための第１の動作モードで動作し、
前記第１の組合せは、
前記第１の動作モードに対応する前記第１の通信帯域と前記第２の通信帯域とを含み、
前記切替制御部は、
前記判定部により切り替えが必要と判定されたことに応じて、前記第１の動作モードを解除し、前記第１の組合せから前記第２の組合せへの接続条件の切り替えを制御する
請求項２乃至４のいずれか１項に記載の無線中継装置。
【請求項６】
前記算出部は、
前記第１の組合せに対応する前記第３の通信速度が前記第２の組合せに対応する前記第３の通信速度より遅くなる場合における当該第１の組合せに対応する前記第２の通信速度を閾値として特定し、
前記判定部は、
前記現在の無線接続における前記第２の通信速度が前記閾値以下である場合に、前記切り替えが必要と判定する
請求項１乃至５のいずれか１項に記載の無線中継装置。
【請求項７】
前記判定部により切り替えが必要と判定された場合に、前記第１の組合せに含まれる前記第２の接続条件を、前記第２の組合せに含まれる前記第２の接続条件へ切り替えるように前記第２の無線通信装置に対して通知する通知部をさらに備え、
前記切替制御部は、
前記第２の無線通信装置から前記通知に応じた切り替えの指示を受け付けた場合に、前記接続条件の切り替えを制御する
請求項１乃至６のいずれか１項に記載の無線中継装置。
【請求項８】
第１の無線通信装置と、
第２の無線通信装置と、
前記第１の無線通信装置と前記第２の無線通信装置との無線通信を中継する無線中継装置と、
を備え、
前記無線中継装置は、
前記第１の無線通信装置と前記無線中継装置の間で複数の第１の接続条件のそれぞれにより無線接続された場合の複数の第１の通信速度と、前記第２の無線通信装置と前記無線中継装置の間で複数の第２の接続条件のそれぞれにより無線接続された場合の複数の第２の通信速度と、を記憶する記憶部と、
前記記憶部を参照して、前記第１の接続条件と前記第２の接続条件の複数の組合せのそれぞれについて、前記無線中継装置を介した前記第１の無線通信装置と前記第２の無線通信装置の間の複数の第３の通信速度を算出する算出部と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定部と、
前記判定部により切り替えが必要と判定されたことに応じて、前記第１の組合せから前記第２の組合せへの接続条件の切り替えを制御する切替制御部と、
を備える
無線中継システム。
【請求項９】
無線中継装置が、
第１の無線通信装置と前記無線中継装置の間で複数の第１の接続条件のそれぞれにより無線接続された場合の複数の第１の通信速度と、第２の無線通信装置と前記無線中継装置の間で複数の第２の接続条件のそれぞれにより無線接続された場合の複数の第２の通信速度と、を記憶する記憶装置を参照して、前記第１の接続条件と前記第２の接続条件の複数の組合せのそれぞれについて、前記無線中継装置を介した前記第１の無線通信装置と前記第２の無線通信装置の間の複数の第３の通信速度を算出し、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定し、
前記切り替えが必要と判定されたことに応じて、前記第１の組合せから前記第２の組合せへの接続条件の切り替えを制御する
無線接続制御方法。
【請求項１０】
第１の無線通信装置と自己の間で複数の第１の接続条件のそれぞれにより無線接続された場合の複数の第１の通信速度と、第２の無線通信装置と自己の間で複数の第２の接続条件のそれぞれにより無線接続された場合の複数の第２の通信速度と、を記憶する記憶装置を参照して、前記第１の接続条件と前記第２の接続条件の複数の組合せのそれぞれについて、自己を介した前記第１の無線通信装置と前記第２の無線通信装置の間の複数の第３の通信速度を算出する算出処理と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定処理と、
前記切り替えが必要と判定されたことに応じて、前記第１の組合せから前記第２の組合せへの接続条件の切り替えを制御する切替制御処理と、
をコンピュータに実行させる無線接続制御プログラム。
【発明の詳細な説明】
【技術分野】
【０００１】
本開示は、無線中継装置及びシステム、並びに、無線接続制御方法及びプログラムに関し、特に、無線通信を中継する無線中継装置及びシステム、並びに、無線接続制御方法及びプログラムに関する。
【背景技術】
【０００２】
無線ＬＡＮ（Local Area Network）通信の普及に伴い、無線ＬＡＮアクセスポイントである無線ＬＡＮ親機と、無線ＬＡＮ子機との間の無線通信を中継する無線ＬＡＮ中継装置が普及しつつある。無線ＬＡＮ中継装置に関する技術としては、例えば、以下の特許文献１及び２が知られている。
【０００３】
特許文献１には、無線ＬＡＮによる無線通信システムに関する技術が開示されている。当該無線通信システムは、無線ＬＡＮ中継器が無線ＬＡＮアクセスポイント又は無線ＬＡＮ子機との通信状況を予測して、無線通信に用いる周波数帯域を選択する。ここで、通信状況の予測は、通信品質に関係する情報の算出により行われる。
【０００４】
特許文献２には、無線ＬＡＮ基地局等の通信中継装置に関する技術が開示されている。当該通信中継装置は、５ＧＨｚと２．４ＧＨｚの通信接続が可能である。そして、当該通信中継装置は、第１無線通信規格に準拠した通信接続に対して、高いスループットを必要とする通信先が登録された判断基準情報を取得し、当該判断基準情報に基づき通信接続の切り替えを判定し、通信接続の切り替えを制御する。
【０００５】
また、無線ＬＡＮ中継装置の動作モードとして、通常モードとＦａｓｔ  Ｌａｎｅテクノロジーモードの２種類が存在する。通常モードは、無線ＬＡＮアクセスポイント、無線ＬＡＮ中継器及び無線ＬＡＮ子機の間で、５ＧＨｚ帯と２．４ＧＨｚ帯の両方を使えるようにする動作モードである。また、Ｆａｓｔ  Ｌａｎｅテクノロジーモードは、無線ＬＡＮアクセスポイントと無線ＬＡＮ中継器の間と、無線ＬＡＮ中継器と無線ＬＡＮ子機の間とを別々の周波数帯域で接続する動作モードである。Ｆａｓｔ  Ｌａｎｅテクノロジーモードにより、各周波数帯域の最大通信速度で通信が可能となる。
【先行技術文献】
【特許文献】
【０００６】
【特許文献１】特開２０１７−００５４６３号公報
【特許文献２】特開２０１６−１６３２８３号公報
【発明の概要】
【発明が解決しようとする課題】
【０００７】
ここで、無線ＬＡＮ中継装置にＦａｓｔ  Ｌａｎｅテクノロジーモードを動作モードとして設定することで、一般的には、通信性能が向上する。しかしながら、通信環境の状況によっては、無線ＬＡＮ中継装置に動作モードとしてＦａｓｔ  Ｌａｎｅテクノロジーモードに設定しているにも関わらず、通常モードよりも無線通信の性能劣化が起こり得るという問題点がある。
【０００８】
尚、特許文献１にかかる技術では、親機と中継器の間、又は、中継器と子機の間のいずれかの一方の通信状況しか用いておらず、中継器を介した親機と子機の間の無線通信の性能を最適に維持することが困難である。また、特許文献２にかかる技術では、予め登録された判断基準情報に基づいて通信接続の切り替えを判定しているだけであるため、親機と中継器の間、及び、中継器と子機の間の双方の通信状況を加味して無線通信の性能を最適に維持することが困難である。
【０００９】
本開示は、このような問題点を解決するためになされたものであり、無線通信中継器を介した無線通信装置の間の無線通信の性能劣化を防ぐための無線中継装置及びシステム、並びに、無線接続制御方法及びプログラムを提供することを目的とする。
【課題を解決するための手段】
【００１０】
本開示の第１の態様にかかる無線中継装置は、
第１の無線通信装置と自己の間で複数の第１の接続条件のそれぞれにより無線接続された場合の複数の第１の通信速度と、第２の無線通信装置と自己の間で複数の第２の接続条件のそれぞれにより無線接続された場合の複数の第２の通信速度と、を記憶する記憶部と、
前記記憶部を参照して、前記第１の接続条件と前記第２の接続条件の複数の組合せのそれぞれについて、自己を介した前記第１の無線通信装置と前記第２の無線通信装置の間の複数の第３の通信速度を算出する算出部と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定部と、
前記判定部により切り替えが必要と判定されたことに応じて、前記第１の組合せから前記第２の組合せへの接続条件の切り替えを制御する切替制御部と、
を備える。
【００１１】
本開示の第２の態様にかかる無線中継システムは、
第１の無線通信装置と、
第２の無線通信装置と、
前記第１の無線通信装置と前記第２の無線通信装置との無線通信を中継する無線中継装置と、
を備え、
前記無線中継装置は、
前記第１の無線通信装置と前記無線中継装置の間で複数の第１の接続条件のそれぞれにより無線接続された場合の複数の第１の通信速度と、前記第２の無線通信装置と前記無線中継装置の間で複数の第２の接続条件のそれぞれにより無線接続された場合の複数の第２の通信速度と、を記憶する記憶部と、
前記記憶部を参照して、前記第１の接続条件と前記第２の接続条件の複数の組合せのそれぞれについて、前記無線中継装置を介した前記第１の無線通信装置と前記第２の無線通信装置の間の複数の第３の通信速度を算出する算出部と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定部と、
前記判定部により切り替えが必要と判定されたことに応じて、前記第１の組合せから前記第２の組合せへの接続条件の切り替えを制御する切替制御部と、
を備える。
【００１２】
本開示の第３の態様にかかる無線接続制御方法は、
無線中継装置が、
第１の無線通信装置と前記無線中継装置の間で複数の第１の接続条件のそれぞれにより無線接続された場合の複数の第１の通信速度と、第２の無線通信装置と前記無線中継装置の間で複数の第２の接続条件のそれぞれにより無線接続された場合の複数の第２の通信速度と、を記憶する記憶装置を参照して、前記第１の接続条件と前記第２の接続条件の複数の組合せのそれぞれについて、前記無線中継装置を介した前記第１の無線通信装置と前記第２の無線通信装置の間の複数の第３の通信速度を算出し、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定し、
前記切り替えが必要と判定されたことに応じて、前記第１の組合せから前記第２の組合せへの接続条件の切り替えを制御する。
【００１３】
本開示の第４の態様にかかる無線接続制御プログラムは、
第１の無線通信装置と自己の間で複数の第１の接続条件のそれぞれにより無線接続された場合の複数の第１の通信速度と、第２の無線通信装置と自己の間で複数の第２の接続条件のそれぞれにより無線接続された場合の複数の第２の通信速度と、を記憶する記憶装置を参照して、前記第１の接続条件と前記第２の接続条件の複数の組合せのそれぞれについて、自己を介した前記第１の無線通信装置と前記第２の無線通信装置の間の複数の第３の通信速度を算出する算出処理と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定処理と、
前記切り替えが必要と判定されたことに応じて、前記第１の組合せから前記第２の組合せへの接続条件の切り替えを制御する切替制御処理と、
をコンピュータに実行させる。
【発明の効果】
【００１４】
本開示により、無線通信中継器を介した無線通信装置の間の無線通信の性能劣化を防ぐための無線中継装置及びシステム、並びに、無線接続制御方法及びプログラムを提供することができる。
【図面の簡単な説明】
【００１５】
【図１】本実施の形態１にかかる無線中継システムの全体構成を示すブロック図である。
【図２】本実施の形態１にかかる無線接続制御処理の流れを示すフローチャートである。
【図３】本実施の形態２にかかる無線中継システムの全体構成を示すブロック図である。
【図４】本実施の形態２にかかる無線ＬＡＮ中継器の構成を示すブロック図である。
【図５】本実施の形態２にかかる無線接続制御処理の流れを説明するためのフローチャートである。
【図６】本実施の形態２にかかる無線接続制御処理の流れを説明するためのフローチャートである。
【図７】本実施の形態２にかかる無線接続制御処理の流れを説明するためのフローチャートである。
【図８】本実施の形態２にかかる無線ＬＡＮアクセスポイントと無線ＬＡＮ中継器との接続情報の例を示す図である。
【図９】本実施の形態２にかかる無線ＬＡＮ子機と無線ＬＡＮ中継器との接続情報の例を示す図である。
【図１０】本実施の形態２にかかる無線ＬＡＮアクセスポイントと無線ＬＡＮ子機との接続情報の例を示す図である。
【図１１】本実施の形態２にかかる更新後の無線ＬＡＮ子機と無線ＬＡＮ中継器との接続情報の例を示す図である。
【図１２】本実施の形態２にかかる更新後の無線ＬＡＮアクセスポイントと無線ＬＡＮ子機との接続情報の例を示す図である。
【図１３】本実施の形態３にかかる無線ＬＡＮ中継器の構成を示すブロック図である。
【図１４】本実施の形態３にかかる無線接続制御処理の流れを説明するためのフローチャートである。
【図１５】本実施の形態３にかかる無線接続制御処理の流れを説明するためのフローチャートである。
【図１６】本実施の形態３にかかる2.4GHz帯の２ストリームの無線LAN子機との接続情報の例を示す図である。
【図１７】本実施の形態３にかかる5GHz帯の２ストリームの無線LAN子機との接続情報の例を示す図である。
【図１８】本実施の形態３にかかる無線ＬＡＮアクセスポイントと無線ＬＡＮ子機との接続情報の例を示す図である。
【図１９】本実施の形態３にかかる無線ＬＡＮアクセスポイントと無線ＬＡＮ子機との接続情報の例を示す図である。
【発明を実施するための形態】
【００１６】
以下では、本開示の実施の形態について、図面を参照しながら詳細に説明する。各図面において、同一又は対応する要素には同一の符号が付されており、説明の明確化のため、必要に応じて重複説明は省略される。
【００１７】
＜実施の形態１＞
図１は、本実施の形態１にかかる無線中継システム１０００の全体構成を示すブロック図である。無線中継システム１０００は、第１の無線通信装置１と、第２の無線通信装置２と、無線中継装置３とを備える。第１の無線通信装置１及び第２の無線通信装置２のそれぞれは、複数の接続条件により無線接続して、無線通信を行うことができる通信装置である。例えば、第１の無線通信装置１は無線通信における親機であり、第２の無線通信装置２は無線通信における子機としても良いが、これに限定されない。また、無線中継装置３は、第１の無線通信装置１と、第２の無線通信装置２との無線通信を中継することができる通信装置である。また、「無線通信」とは、例えば、無線ＬＡＮ等が挙げられるが、これに限定されない。
【００１８】
また、「接続条件」とは、周波数帯域（通信帯域）、空間ストリーム数、チャネルボンディングのモード、ＭＣＳ（Modulation and Coding Scheme）の種別等の組合せであり、少なくとも通信帯域を含むものとする。
【００１９】
無線中継装置３は、記憶部３１と、算出部３２と、判定部３３と、切替制御部３４とを備える。記憶部３１は、メモリ等の揮発性記憶装置、又は、フラッシュメモリ等の不揮発性記憶装置により実現される記憶領域である。記憶部３１は、複数の第１の接続条件１３１１と、複数の第１の通信速度１３１２と、複数の第２の接続条件１３２１と、複数の第２の通信速度１３２２と、を記憶する。ここで、第１の接続条件１３１１は、第１の無線通信装置１と無線中継装置３との間で無線接続された場合の接続条件である。第１の通信速度１３１２は、複数の第１の接続条件１３１１のうちいずれか一つにより無線接続された場合の通信速度である。そして、第１の接続条件１３１１と第１の通信速度１３１２とは、対応付けられている。また、第２の接続条件１３２１は、第２の無線通信装置２と無線中継装置３との間で無線接続された場合の接続条件である。第２の通信速度１３２２は、複数の第２の接続条件１３２１のうちいずれか一つにより無線接続された場合の通信速度である。そして、第２の接続条件１３２１と第２の通信速度１３２２とは、対応付けられている。
【００２０】
ここで、「通信速度」とは、一定時間内にデータ転送路上の仮想又は物理的な地点を通過した（すなわち転送された）データ数（例えば、ビット数）を示す。「通信速度」は例えば、接続リンクレート、又は、データの転送速度、転送率、転送効率、伝送率、伝送速度もしくは伝送効率、又は、信号速度等と呼ぶこともできる。
【００２１】
尚、記憶部３１に記憶された情報は、無線中継装置３と第１の無線通信装置１又は第２の無線通信装置２との接続時又は事前の測定等により取得された値か、理論値等であってもよい。
【００２２】
算出部３２は、記憶部３１を参照して、第１の接続条件１３１１と第２の接続条件１３２１の複数の組合せのそれぞれについて、無線中継装置３を介した第１の無線通信装置１と第２の無線通信装置１の間の複数の第３の通信速度を算出する。ここで、「組合せ」とは、複数の第１の接続条件１３１１のうち一つと、複数の第２の接続条件１３２１のうち一つとの組合せである。そして、「複数の組合せ」とは、当該「組合せ」の全て又は少なくとも２以上を示す。また、複数の第３の通信速度のそれぞれは、複数の組合せのいずれかに対応するものとする。
【００２３】
判定部３３は、複数の組合せのうち現在の無線接続における第１の組合せに対応する第３の通信速度が、当該複数の組合せのうち第２の組合せに対応する第３の通信速度より遅い場合に、当該第１の組合せの接続条件の接続条件の切り替えが必要と判定する。すなわち、判定部３３は、複数の組合せのそれぞれに対応する第３の通信速度に基づいて、第１の組合せに含まれる第１の接続条件又は第２の接続条件の少なくともいずれか一方を変更するか否かを判定する。
【００２４】
切替制御部３４は、判定部３３により切り替えが必要と判定されたことに応じて、第１の組合せから第２の組合せへの接続条件の切り替えを制御する。例えば、無線中継装置３は、判定部３３により切り替えが必要と判定されたことを、第２の無線通信装置２へ通知するものとする。そして、第２の無線通信装置２は、無線中継装置３から通知された内容を表示装置に表示し、表示内容を確認したユーザから接続条件の切り替えの指示を受け付けるものとする。その場合、第２の無線通信装置２は、受け付けた指示に応じて無線中継装置３との間の接続条件を切り替え、その際、無線中継装置３に対して接続条件の切り替えの指示を送信する。そして、無線中継装置３は、第２の無線通信装置２から接続条件の切り替えの指示を受け付けて、当該指示に基づいて第２の組合せへの接続条件の切り替えを制御することができる。または、無線中継装置３は、判定部３３により切り替えが必要と判定された場合に、第１の組合せから第２の組合せへ、接続条件を自律的に切り替えるようにしてもよい。
【００２５】
尚、無線中継装置３は、図示しない構成としてプロセッサ、記憶装置を備えるものである。また、当該記憶装置には、本実施の形態にかかる無線接続制御処理が実装されたコンピュータプログラムが記憶されている。そして、当該制御装置は、記憶装置からコンピュータプログラムを記憶部３１等のメモリへ読み込み、当該コンピュータプログラムを実行する。これにより、前記プロセッサは、算出部３２、判定部３３及び切替制御部３４の機能を実現する。
【００２６】
図２は、本実施の形態１にかかる無線接続制御処理の流れを示すフローチャートである。まず、算出部３２は、第１の接続条件１３１１と第２の接続条件１３２１の複数の組合せごとに、無線中継装置３を介した第１の無線通信装置１と第２の無線通信装置２の間の複数の第３の通信速度を算出する（Ｓ１１）。
【００２７】
次に、判定部３３は、複数の組合せのうち現在の無線接続における第１の組合せに対応する第３の通信速度が、当該複数の組合せのうち第２の組合せに対応する第３の通信速度より遅いか否かを判定する（Ｓ１２）。ここで、判定部３３は、第１の組合せに対応する第３の通信速度が、第２の組合せに対応する第３の通信速度より遅いと判定された場合、切り替えが必要と判定する。ステップＳ１２において切り替えが必要と判定されたことに応じて、切替制御部３４は、第１の組合せから第２の組合せへの接続条件の切り替えを制御する（Ｓ１３）。尚、ステップＳ１２において切り替えが不要と判定された場合には、ステップＳ１３は実行されない。
【００２８】
以上のことから、本実施の形態では、無線中継装置３は、自己と第１の無線通信装置１及び第２の無線通信装置２のそれぞれとの間の複数の個別の接続条件における各通信速度について、接続時に測定又は事前に測定もしくは算出された値を用いる。そして、無線中継装置３は、複数の個別の接続条件における各通信速度の組合せに基づいて、各接続条件の組合せのそれぞれにおける無線中継装置３を介した第１の無線通信装置１と第２の無線通信装置２の間の通信速度を算出する。これにより、無線中継装置３は、現在の無線接続における第１の無線通信装置１と第２の無線通信装置２の間の第３の通信速度が最適化否かを適切に判定でき、必要に応じて接続条件の切り替えを制御できる。よって、本実施の形態により、無線通信中継器を介した無線通信装置の間の無線通信の性能劣化を防ぐことができる。
【００２９】
＜実施の形態２＞
本実施の形態２は、上述した実施の形態１の具体的な一実施例である。すなわち、本実施の形態２においては、第１の接続条件は、第１の無線通信装置と無線中継装置の間の無線接続における第１の通信帯域を含み、第２の接続条件は、第２の無線通信装置と無線中継装置の間の無線接続における第２の通信帯域を含むものである。そして、この場合、記第１の組合せに含まれる第１の通信帯域と第２の通信帯域は、異なる通信帯域であり、第２の組合せに含まれる第１の通信帯域と第２の通信帯域は、同一の通信帯域であるものとする。つまり、第１の通信帯域と第２の通信帯域とが異なる接続条件の第１の組合せにおける第３の通信速度が最適ではない場合に、第１の通信帯域と第２の通信帯域とが同一の接続条件の第２の組合せに接続条件を切り替えることができる。これにより、通信状況によっては、無線中継装置の双方の通信帯域を共通とした方が通信速度が良好な場合を検出して切り替えることができる。
【００３０】
ここで、第１の通信帯域は、無線接続における親機である第１の無線通信装置と無線中継装置との間の通信帯域であり、第２の通信帯域は、無線接続における子機である第２の無線通信装置と無線中継装置との間の通信帯域であることが望ましい。この場合、切替制御部は、判定部により切り替えが必要と判定されたことに応じて、第２の組合せに含まれる第２の通信帯域へ切り替えるように制御することが望ましい。これにより、例えば、Ｆａｓｔ  Ｌａｎｅテクノロジーモードが最適でない場合に、通常モードに切り替えることが可能となり、Ｆａｓｔ  Ｌａｎｅテクノロジーモードによる通信性能の劣化を防ぐことができる。
【００３１】
さらに、第１の通信帯域は、第１の無線通信装置において電波状況に応じて切り替え可能であるものとする。この場合、判定部は、複数の組合せのうち、現在の無線接続における第１の通信帯域と第２の通信帯域とを含む組合せを第１の組合せとして特定して、切り替えの要否を判定するとよい。これにより、第１の無線通信装置が例えばバンドステアリング機能に対応しており、第１の無線通信装置側で第１の通信帯域を切り替えた場合であっても、最新の接続条件及び通信状況に応じた適切な切り替え制御が可能となる。
【００３２】
また、無線中継装置は、第１の通信帯域と第２の通信帯域とが異なるように無線接続を制御するための第１の動作モードで動作し、第１の組合せは、第１の動作モードに対応する第１の通信帯域と第２の通信帯域とを含むものとする。この場合、切替制御部は、判定部により切り替えが必要と判定されたことに応じて、第１の動作モードを解除し、第１の組合せから第２の組合せへの接続条件の切り替えを制御するとよい。これにより、例えば、Ｆａｓｔ  Ｌａｎｅテクノロジーモードが最適でない場合に、通常モードに切り替えることが可能となり、Ｆａｓｔ  Ｌａｎｅテクノロジーモードによる通信性能の劣化を防ぐことができる。
【００３３】
また、算出部は、第１の組合せに対応する第１の通信速度と第２の通信速度から第１の算出方法により第３の通信速度を算出する。そして、算出部は、第２の組合せに対応する第１の通信速度と第２の通信速度から、第１の算出方法とは異なる第２の算出方法により第３の通信速度を算出するとよい。このように、動作モードにより第３の通信速度の算出方法が異なるため、通信状況に応じた適切な切り替え制御が可能となる。
【００３４】
さらに、無線中継装置は、第１の無線通信装置との通信確立時に、複数の第１の通信速度を取得し、複数の第１の接続条件のそれぞれと対応する複数の第１の通信速度を記憶部に登録する第１の通信部をさらに備えるとよい。これにより、無線中継装置と第１の無線通信装置との実際の設置間隔における異なる接続条件ごとの通信速度を取得でき、第３の通信速度を適切に算出できる。
【００３５】
また、無線中継装置は、判定部により切り替えが不要と判定された場合に、複数の第２の通信速度を取得し、当該取得した複数の第２の通信速度により記憶部を更新する第２の通信部をさらに備えるとよい。この場合、算出部は、記憶部が更新された場合に、複数の第３の通信速度を再算出し、判定部は、再算出された場合に、切り替えの要否を再度、判定するとよい。これにより、一方の第２の無線通信装置（例えば、子機）との通信状況の変化（例えば、第２の無線通信装置の移動等）に応じた適切な切り替え制御が可能となる。
【００３６】
さらに、第２の通信部は、第２の無線通信装置との接続時に、複数の第２の通信速度を取得し、複数の第２の接続条件のそれぞれと対応する複数の第２の通信速度を記憶部に登録するとよい。これにより、無線中継装置と第２の無線通信装置との実際の設置間隔における異なる接続条件ごとの通信速度を取得でき、第３の通信速度を適切に算出できる。
【００３７】
また、無線中継装置は、判定部により切り替えが必要と判定された場合に、第１の組合せに含まれる第２の接続条件を、第２の組合せに含まれる第２の接続条件へ切り替えるように第２の無線通信装置に対して通知する通知部をさらに備えるとよい。この場合、切替制御部は、第２の無線通信装置から通知に応じた切り替えの指示を受け付けた場合に、接続条件の切り替えを制御するとよい。これにより、無線中継装置のユーザに対して、接続条件の切り替えを適切に誘導することができる。
【００３８】
図３は、本実施の形態２にかかる無線中継システム２０００の全体構成を示すブロック図である。無線中継システム２０００は、無線ＬＡＮアクセスポイント１００と、無線ＬＡＮ中継器２００と、無線ＬＡＮ子機３００とを備える。無線ＬＡＮアクセスポイント１００は、上述した第１の無線通信装置１の一例であり、無線ＬＡＮ通信における親機である。そして、無線ＬＡＮアクセスポイント１００は、複数の接続条件により無線ＬＡＮ通信が可能であり、例えば、２．４Ｇアンテナ１０１及び５Ｇアンテナ１０２を有する。そのため、無線ＬＡＮアクセスポイント１００は、無線ＬＡＮ中継器２００との間で、例えば、５ＧＨｚ帯及び２．４ＧＨｚ帯の両方で無線通信が可能である。無線ＬＡＮアクセスポイント１００は、特に、通信帯域制御部１１０を備える。通信帯域制御部１１０は、バンドステアリング機能を実現する機能ブロックである。通信帯域制御部１１０は、周囲の電波状況に応じて無線ＬＡＮ中継器２００との通信帯域を５ＧＨｚ帯または２．４ＧＨｚ帯に切り替えるものとする。尚、無線ＬＡＮアクセスポイント１００は、公知のものを適用することができる。
【００３９】
無線ＬＡＮ中継器２００は、上述した無線中継装置３の一例であり、無線ＬＡＮ通信における中継装置である。そして、無線ＬＡＮ中継器２００は、複数の接続条件により無線ＬＡＮ通信が可能であり、例えば、２．４Ｇアンテナ２０１及び２０３、並びに、５Ｇアンテナ２０２及び２０４を有する。そのため、無線ＬＡＮ中継器２００は、無線ＬＡＮアクセスポイント１００との間で５ＧＨｚ帯及び２．４ＧＨｚ帯の両方で無線通信が可能であり、無線ＬＡＮ子機３００との間で５ＧＨｚ帯及び２．４ＧＨｚ帯の両方で無線通信が可能である。
【００４０】
無線ＬＡＮ中継器２００は、動作モードとして通常モードとＦａｓｔ  Ｌａｎｅテクノロジーモードの２種類が設定可能であるものとする。通常モードは、無線ＬＡＮアクセスポイント１００と無線ＬＡＮ中継器２００の間と、無線ＬＡＮ中継器２００と無線ＬＡＮ子機３００の間とのそれぞれの無線通信において、５ＧＨｚ帯と２．４ＧＨｚ帯の両方を独立して使えるようにする動作モードである。また、Ｆａｓｔ  Ｌａｎｅテクノロジーモードは、無線ＬＡＮアクセスポイント１００と無線ＬＡＮ中継器２００の間と、無線ＬＡＮ中継器２００と無線ＬＡＮ子機３００の間とを別々の周波数帯域で接続する動作モードである。そのため、例えば、無線ＬＡＮアクセスポイント１００と無線ＬＡＮ中継器２００の間が５ＧＨｚ帯で接続された場合には、無線ＬＡＮ中継器２００と無線ＬＡＮ子機３００の間が２．４ＧＨｚ帯で接続されるように制御される。一方、無線ＬＡＮアクセスポイント１００と無線ＬＡＮ中継器２００の間が２．４ＧＨｚ帯で接続された場合には、無線ＬＡＮ中継器２００と無線ＬＡＮ子機３００の間が５ＧＨｚ帯で接続されるように制御される。そして、無線ＬＡＮ中継器２００は、Ｆａｓｔ  Ｌａｎｅテクノロジーモードが設定された場合、無線ＬＡＮアクセスポイント１００及び無線ＬＡＮ子機３００のそれぞれの間で、接続された通信帯域における最大の通信速度で通信が可能となる。
【００４１】
無線ＬＡＮ子機３００は、上述した第２の無線通信装置２の一例であり、無線ＬＡＮ通信における子機である。そして、無線ＬＡＮ子機３００は、複数の接続条件により無線ＬＡＮ通信が可能であり、アンテナ３０１を有する。そのため、無線ＬＡＮ子機３００は、無線ＬＡＮ中継器２００との間で、アンテナ３０１を介して、例えば、５ＧＨｚ帯及び２．４ＧＨｚ帯のいずれか一方に切り替えて無線通信が可能である。また、無線ＬＡＮ子機３００は、通信制御部３１０、表示部３２０、入力部３３０及び通信帯域制御部３４０を有する。通信制御部３１０は、無線ＬＡＮ中継器２００と無線ＬＡＮ子機３００との間で５ＧＨｚ帯又は２．４ＧＨｚ帯のいずれかにより無線接続を行い、無線通信を制御する。例えば、通信制御部３１０は、アンテナ３０１を介して、複数の接続条件の切り替えて、無線接続が可能である。また、通信制御部３１０は、後述するように、無線ＬＡＮ中継器２００から無線ＬＡＮ中継器２００との第２の接続条件を切り替えるように通知を受け付けた場合、当該通知内容を表示部３２０に表示させる。表示部３２０は、通信制御部３１０から受け付けた通知内容を画面に表示する。入力部３３０は、表示部３２０に表示された通知内容を確認したユーザから、接続条件の切り替えの指示を受け付け、通信制御部３１０へ出力する。通信制御部３１０は、接続条件の切り替えの指示に応じて、無線ＬＡＮ中継器２００との無線接続における接続条件、例えば、通信帯域を現在のものと異なるものに切り替える。このとき、通信制御部３１０は、無線ＬＡＮ中継器２００に対して接続条件の切り替えの指示を送信する。尚、無線ＬＡＮ子機３００は、公知のものを適用することができる。
【００４２】
図４は、本実施の形態２にかかる無線ＬＡＮ中継器２００の構成を示すブロック図である。無線ＬＡＮ中継器２００は、上述した２．４Ｇアンテナ２０１及び２０３、５Ｇアンテナ２０２及び２０４に加え、以下の構成を備える。すなわち、無線ＬＡＮ中継器２００は、２．４Ｇ送受信回路２１１及び２１３、５Ｇ送受信回路２１２及び２１４、ベースバンド部２２０、メモリ２３０、ＣＰＵ２４０、表示部２５０及び入力部２６０をさらに備える。
【００４３】
２．４Ｇアンテナ２０１及び２０３は、２．４ＧＨｚ帯の通信帯域の無線信号の受信及び発信を行う無線アンテナである。２．４Ｇアンテナ２０１及び２０３は、例えば、無線ＬＡＮアクセスポイント１００が備える２．４Ｇアンテナ１０１、及び、無線ＬＡＮ子機３００が備えるアンテナ３０１との間で無線信号の受信及び発信を行う。また、５Ｇアンテナ２０２及び２０４は、５ＧＨｚ帯の通信帯域の無線信号の受信及び発信を行う無線アンテナである。５Ｇアンテナ２０２及び２０４は、例えば、無線ＬＡＮアクセスポイント１００が備える５Ｇアンテナ１０２、及び、無線ＬＡＮ子機３００が備えるアンテナ３０１との間で無線信号の受信及び発信を行う。
【００４４】
２．４Ｇ送受信回路２１１は、２．４Ｇアンテナ２０１を介して２．４ＧＨｚ帯の無線信号の受信を行い、ベースバンド部２２０へ出力し、ベースバンド部２２０から入力された無線信号を２．４ＧＨｚ帯により２．４Ｇアンテナ２０１を介して送信する電子回路である。５Ｇ送受信回路２１２は、５Ｇアンテナ２０２を介して５ＧＨｚ帯の無線信号の受信を行い、ベースバンド部２２０へ出力し、ベースバンド部２２０から入力された無線信号を５ＧＨｚ帯により５Ｇアンテナ２０２を介して送信する電子回路である。２．４Ｇ送受信回路２１３は、２．４Ｇアンテナ２０３を介して２．４ＧＨｚ帯の無線信号の受信を行い、ベースバンド部２２０へ出力し、ベースバンド部２２０から入力された無線信号を２．４ＧＨｚ帯により２．４Ｇアンテナ２０３を介して送信する電子回路である。５Ｇ送受信回路２１４は、５Ｇアンテナ２０４を介して５ＧＨｚ帯の無線信号の受信を行い、ベースバンド部２２０へ出力し、ベースバンド部２２０から入力された無線信号を５ＧＨｚ帯により５Ｇアンテナ２０４を介して送信する電子回路である。
【００４５】
ベースバンド部２２０は、送受信信号の変調及び復調処理を行う電子回路である。ベースバンド部２２０は、２．４Ｇ送受信回路２１１及び２１３並びに５Ｇ送受信回路２１２及び２１４との間で送受信信号の入出力を行う。また、ベースバンド部２２０は、ＣＰＵ２４０との間で、送受信信号に関するデータの入出力を行う。
【００４６】
メモリ２３０は、上述した記憶部３１の一例であり、ＲＡＭ（Random Access Memory）等の揮発性記憶装置である。メモリ２３０は、接続情報２３１、２３２及び２３３と、プログラム２３４とを記憶する。尚、接続情報２３１、２３２及び２３３と、プログラム２３４とは、記憶装置（不図示）に保存されたものであり、ＣＰＵ２４０によりメモリ２３０へロードされたものであってもよい。尚、当該記憶装置は、例えば、ハードディスク、フラッシュメモリ等の不揮発性記憶装置又はＲＯＭ（Read Only Memory）等が挙げられるがこれらに限定されない。
【００４７】
接続情報２３１は、上述した複数の第１の接続条件１３１１と第１の通信速度１３１２とを対応付けた情報の一例であり、接続条件ごとの通信速度のデータベースと呼ぶこともできる。つまり、接続情報２３１は、無線ＬＡＮアクセスポイント１００と無線ＬＡＮ中継器２００の間で複数の接続条件のそれぞれにより無線接続された場合の複数の通信速度の情報である。接続情報２３２は、上述した第２の接続条件１３２１と第２の通信速度１３２２とを対応付けた情報の一例であり、接続条件ごとの通信速度のデータベースと呼ぶこともできる。つまり、接続情報２３２は、無線ＬＡＮ中継器２００と無線ＬＡＮ子機３００の間で複数の接続条件のそれぞれにより無線接続された場合の複数の通信速度の情報である。接続情報２３３は、上述した複数の第３の通信速度の一例であり、接続条件の組合せごとの通信速度のデータベースと呼ぶこともできる。つまり、接続情報２３３は、接続情報２３１と接続情報２３２のそれぞれの接続条件を一対一で対応付けた複数の組合せにおける通信速度の情報である。プログラム２３４は、本実施の形態２にかかる無線接続制御処理が実装されたコンピュータプログラムの一例である。
【００４８】
表示部２５０は、例えば、ディスプレイ等の表示装置であり、ＣＰＵ２４０からの出力内容を画面に表示する。入力部２６０は、例えば、ボタン、キーボード等の入力装置であり、ユーザから接続条件の切り替えの指示の操作を受け付けて、操作内容をＣＰＵ２４０へ出力する。尚、表示部２５０及び入力部２６０は、タッチパネル等であってもよい。または、表示部２５０及び入力部２６０の一部又は両方は、無線ＬＡＮ中継器２００の外部の装置であってもよい。
【００４９】
ＣＰＵ２４０は、無線中継装置３の動作を制御するプロセッサ等の制御回路の一例であり、ＭＰＵ（Micro Processor Unit）であっても良い。ＣＰＵ２４０は、ベースバンド部２２０、メモリ２３０、表示部２５０及び入力部２６０とバス等を介して接続されている。また、ＣＰＵ２４０は、上述した通常モードとＦａｓｔ  Ｌａｎｅテクノロジーモードのうち外部から設定された動作モードにより動作を制御する。また、ＣＰＵ２４０は、上述した記憶装置からプログラム２３４をメモリ２３０へロードして、実行する。これにより、ＣＰＵ２４０は、以下の第１の通信部２４１、第２の通信部２４２、算出部２４３、判定部２４４、通知部２４５及び切替制御部２４６の機能を実現する。
【００５０】
第１の通信部２４１は、無線ＬＡＮアクセスポイント１００と無線ＬＡＮ中継器２００の間で複数の第１の接続条件のそれぞれにより無線接続された場合の複数の第１の通信速度を取得し、メモリ２３０に登録する。例えば、第１の通信部２４１は、ベースバンド部２２０、２．４Ｇ送受信回路２１１及び２１２を制御して、複数の第１の接続条件を切り替えて、各接続条件による無線接続時の通信速度を測定する。そして、第１の通信部２４１は、取得した第１の通信速度と対応する第１の接続条件とを対応付けて接続情報２３１としてメモリ２３０に保存する。特に、第１の通信部２４１は、無線ＬＡＮアクセスポイント１００との通信確立時に第１の通信速度を取得する。また、第１の通信部２４１は、無線ＬＡＮアクセスポイント１００との現在の無線接続における通信帯域を取得する。
【００５１】
第２の通信部２４２は、無線ＬＡＮ子機３００と無線ＬＡＮ中継器２００の間で複数の第２の接続条件のそれぞれにより無線接続された場合の複数の第２の通信速度を取得し、メモリ２３０に登録する。例えば、第２の通信部２４２は、ベースバンド部２２０、２．４Ｇ送受信回路２１３及び２１４を制御して、複数の第２の接続条件を切り替えて、各接続条件による無線接続時の通信速度を測定する。そして、第２の通信部２４２は、取得した第２の通信速度と対応する第２の接続条件とを対応付けて接続情報２３２としてメモリ２３０に保存する。特に、第２の通信部２４２は、無線ＬＡＮ子機３００との接続時に第２の通信速度を取得する。また、第２の通信部２４２は、後述する判定部２４４により切り替えが不要と判定された場合に、再度、複数の第２の通信速度を取得し、当該取得した複数の第２の通信速度によりメモリ２３０の接続情報２３２を更新する。尚、第２の通信部２４２は、後述する通知部２４５からの通知に応じて、無線ＬＡＮ子機３００に対して通知情報を送信する。
【００５２】
算出部２４３は、上述した算出部３２の一例であり、メモリ２３０の接続情報２３１及び２３２を参照して、無線ＬＡＮ中継器２００を介した無線ＬＡＮアクセスポイント１００と無線ＬＡＮ子機３００の間の複数の第３の通信速度を算出する。つまり、算出部２４３は、接続情報２３１及び２３２の中から、複数の第１の接続条件と複数の第２の接続条件との一対一の全ての組合せについて、それぞれ第３の通信速度を算出する。そして、算出部２４３は、算出した各第３の通信速度と、対応する接続条件の組合せとを対応付けて、メモリ２３０に接続情報２３３として登録する。また、算出部２４３は、メモリ２３０内の接続情報２３２が第２の通信部２４２等により更新された場合に、各第３の通信速度を再度、算出し、接続情報２３３を更新する。
【００５３】
また、算出部２４３は、動作モードに応じた算出方法により第３の通信速度の算出を行う。例えば、Ｆａｓｔ  Ｌａｎｅテクノロジーモードに対応する第１の算出方法は、接続条件の組合せに属する第１の通信速度と第２の通信速度のうち、より遅い方を第３の通信速度として算出する方法である。また、通常モードに対応する第２の算出方法は、接続条件の組合せに属する第１の通信速度と第２の通信速度の両方に対して所定の数値で割り切れる数値を、第３の通信速度として算出する方法である。尚、第１及び第２の算出方法は、これらに限定されない。
【００５４】
判定部２４４は、上述した判定部３３の一例であり、接続情報２３３に基づいて、現在の無線接続の接続条件の組合せのうち第２の接続条件を切り替えるか否かを判定する。特に、判定部２４４は、接続条件の組合せのうち、現在の無線接続における第１の通信帯域と第２の通信帯域とを含む組合せを第１の組合せとして特定して、切り替えの要否を判定する。また、判定部２４４は、接続情報２３３が更新されたことに応じて、再度、切り替えの要否を判定する。
【００５５】
通知部２４５は、判定部２４４により切り替えが必要と判定された場合に、第１の組合せに含まれる第２の接続条件を、第２の組合せに含まれる第２の接続条件へ切り替えるように第２の無線通信装置に対して通知する。具体的には、通知部２４５は、ベースバンド部２２０及び２．４Ｇ送受信回路２１３又は５Ｇ送受信回路２１４を用いて、無線ＬＡＮ子機３００に対して通知情報を送信させる。
【００５６】
切替制御部２４６は、上述した切替制御部３４の一例であり、無線ＬＡＮ子機３００から切り替えの指示を受け付けた場合に、現在の無線接続における接続条件の第１の組合せのうち第２の接続条件を、第２の組合せに含まれる第２の接続条件へ切り替えるように制御する。例えば、切替制御部２４６は、まず、Ｆａｓｔ  Ｌａｎｅテクノロジーモードの設定を一時的に解除する。そして、切替制御部２４６は、通知部２４５に対して通知を指示する。そして、切替制御部２４６は、無線ＬＡＮ子機３００から切り替えの指示に応じて、ベースバンド部２２０及び２．４Ｇ送受信回路２１３又は５Ｇ送受信回路２１４を用いて、無線ＬＡＮ子機３００との通信帯域を現在のものから、他方へ切り替える。
【００５７】
図５、図６及び図７は、本実施の形態２にかかる無線接続制御処理の流れを説明するためのフローチャートである。ここで、無線ＬＡＮ中継器２００は、動作モードがＦａｓｔ  Ｌａｎｅテクノロジーモードに設定されているものとする。
【００５８】
まず、無線ＬＡＮ中継器２００は、無線ＬＡＮアクセスポイント１００との通信を確立する（Ｓ３０１）。例えば、無線ＬＡＮ中継器２００は、ユーザにより屋内のある場所に新規に設置されるものとする。そして、無線ＬＡＮ中継器２００は、設置後の起動時に、無線接続可能な無線ＬＡＮアクセスポイント１００との通信を確立する。次に、無線ＬＡＮ中継器２００は、無線ＬＡＮアクセスポイント１００との接続リンクレートを取得する（Ｓ３０２）。このとき、第１の通信部２４１は、５ＧＨｚ帯及び２．４ＧＨｚ帯のそれぞれの周波数帯域での接続リンクレートを取得する。例えば、第１の通信部２４１は、上述した通り、各通信帯域により接続を行ない、それぞれの接続リンクレートを測定する。また、第１の通信部２４１は、通信帯域以外の接続条件を切り替えて、それぞれの場合について接続リンクレートを測定してもよい。そして、第１の通信部２４１は、取得した接続リンクレートと接続条件とを対応付けて接続情報２３１としてメモリ２３０に登録する（Ｓ３０３）。ここで、無線ＬＡＮ中継器２００は、設置場所を頻繁に変えるものではないため、無線ＬＡＮアクセスポイント１００と無線ＬＡＮ中継器２００との接続リンクレートは、概ね一定である。よって、無線ＬＡＮ中継器２００は、初回起動時に接続リンクレートを取得及び登録すれば、その後、無線ＬＡＮアクセスポイント１００との接続リンクレートを取得し直す必要性は低いといえる。
【００５９】
図８は、本実施の形態２にかかる無線ＬＡＮアクセスポイント１００と無線ＬＡＮ中継器２００との接続情報２３１の例を示す図である。ここでは接続条件として、通信帯域、空間ストリーム（以下、「ストリーム」という。）、チャネルボンディングのモード（以下、「モード」という。）、ＭＣＳの種別の組合せを示す。但し、接続条件は、これらに限定されない。
【００６０】
また、図８の例では、５ＧＨｚ帯の接続リンクレートは、ストリーム２ｓｓ（Ｓｐａｔｉａｌ  Ｓｔｒｅａｍ）、モードＶＨＴ（Ｖｅｒｙ  Ｈｉｇｈ  Ｔｈｒｏｕｇｈｐｕｔ）８０、ＭＣＳ２において１７５．５Ｍｂｐｓであることを示す。また、２．４ＧＨｚの接続リンクレートは、ストリーム２ｓｓ、モードＶＨＴ４０、ＭＣＳ３において１０８Ｍｂｐｓであることを示す。
【００６１】
図５に戻り説明を続ける。続いて、無線ＬＡＮ中継器２００は、無線ＬＡＮ子機３００と接続する（Ｓ３０４）。次に、無線ＬＡＮ中継器２００は、無線ＬＡＮ子機３００との接続リンクレートを取得する（Ｓ３０５）。このとき、第２の通信部２４２は、５ＧＨｚ帯及び２．４ＧＨｚ帯のそれぞれの周波数帯域での接続リンクレートを取得する。例えば、第２の通信部２４２は、上述した通り、各通信帯域により接続を行ない、それぞれの接続リンクレートを測定する。また、第２の通信部２４２は、通信帯域以外の接続条件を切り替えて、それぞれの場合について接続リンクレートを測定してもよい。そして、第２の通信部２４２は、取得した接続リンクレートと接続条件とを対応付けて接続情報２３２としてメモリ２３０に登録する（Ｓ３０６）。
【００６２】
図９は、本実施の形態２にかかる無線ＬＡＮ子機３００と無線ＬＡＮ中継器２００との接続情報２３２の例を示す図である。尚、接続条件の例は、図８と同様である。図９の例では、５ＧＨｚ帯の接続リンクレートは、ストリーム１ｓｓ、モードＶＨＴ８０、ＭＣＳ６において２６３．３Ｍｂｐｓであることを示す。また、２．４ＧＨｚの接続リンクレートは、ストリーム１ｓｓ、モードＶＨＴ４０、ＭＣＳ７において１３５Ｍｂｐｓであることを示す。
【００６３】
続いて、図６を参照して説明を続ける。ステップＳ３０６の後、無線ＬＡＮ中継器２００は、無線ＬＡＮアクセスポイント１００と無線ＬＡＮ子機３００との間の接続リンクレートを算出する（Ｓ３０７）。そして、無線ＬＡＮ中継器２００は、組合せごとに接続リンクレートを接続情報２３３としてメモリ２３０に登録する。
【００６４】
このとき、算出部２４３は、メモリ２３０内の接続情報２３１及び接続情報２３２を参照して、接続条件の組合せごとに接続リンクレートを算出する。例えば、算出部２４３は、まず、接続情報２３１内の第１の接続条件と接続情報２３２内の第２の接続条件との全ての組合せを特定する。例えば、算出部２４３は、第１の接続条件の通信帯域５ＧＨｚ及び２．４ＧＨｚのそれぞれと、第２の接続条件の通信帯域５ＧＨｚ及び２．４ＧＨｚのそれぞれとを一対一の組合せとして４つの組合せを特定する。ここで、第１の接続条件の通信帯域５ＧＨｚと第２の接続条件の５ＧＨｚの組合せと、第１の接続条件の通信帯域２．４ＧＨｚと第２の接続条件の２．４ＧＨｚの組合せとは、それぞれ、通信帯域が同一であるため、通常モードに相当する。また、第１の接続条件の通信帯域５ＧＨｚと第２の接続条件の２．４ＧＨｚの組合せと、第１の接続条件の通信帯域２．４ＧＨｚと第２の接続条件の５ＧＨｚの組合せとは、それぞれ、通信帯域が異なるため、Ｆａｓｔ  Ｌａｎｅテクノロジーモードに相当する。
【００６５】
そして、算出部２４３は、特定した組合せごとに、相当する動作モードに対応する算出方法を用いて、無線ＬＡＮアクセスポイント１００と無線ＬＡＮ子機３００の間の接続リンクレートを第３の通信速度として算出する。例えば、算出部２４３は、特定した組合せがＦａｓｔ  Ｌａｎｅテクノロジーモードに相当する場合、上述した第１の算出方法により接続リンクレートを算出する。また、算出部２４３は、特定した組合せが通常モードに相当する場合、上述した第２の算出方法により接続リンクレートを算出する。
【００６６】
図１０は、本実施の形態２にかかる無線ＬＡＮアクセスポイント１００と無線ＬＡＮ子機３００との接続情報２３３の例を示す図である。無線ＬＡＮアクセスポイント１００と無線ＬＡＮ中継器２００との間で無線接続された場合の通信帯域を第１の通信帯域、無線ＬＡＮ子機３００と無線ＬＡＮ中継器２００との間で無線接続された場合の通信帯域を第２の通信帯域として説明する。図１０の例では、第１の通信帯域５ＧＨｚ及び第２の通信帯域５ＧＨｚの組合せである場合、動作モードが通常モードに相当し、接続リンクレートが８７．７５Ｍｂｐｓとして算出されたことを示す。また、第１の通信帯域５ＧＨｚ及び第２の通信帯域２．４ＧＨｚの組合せである場合、動作モードがＦａｓｔ  Ｌａｎｅテクノロジーモードに相当し、接続リンクレートが１３５Ｍｂｐｓとして算出されたことを示す。また、第１の通信帯域２．４ＧＨｚ及び第２の通信帯域５ＧＨｚの組合せである場合、動作モードがＦａｓｔ  Ｌａｎｅテクノロジーモードに相当し、接続リンクレートが１０８Ｍｂｐｓとして算出されたことを示す。また、第１の通信帯域２．４ＧＨｚ及び第２の通信帯域２．４ＧＨｚの組合せである場合、動作モードが通常モードに相当し、接続リンクレートが５４Ｍｂｐｓとして算出されたことを示す。
【００６７】
図６に戻り説明を続ける。続いて、無線ＬＡＮ中継器２００は、Ｆａｓｔ  Ｌａｎｅテクノロジーモードで通信性能が劣る組合せがあるか否かを判定する（Ｓ３０８）。すなわち、判定部２４４は、接続情報２３３を参照し、Ｆａｓｔ  Ｌａｎｅテクノロジーモードにおける第３の通信速度が、通常モードにおける第３の通信速度より遅いか否かを判定する。例えば、図１０の場合、Ｆａｓｔ  Ｌａｎｅテクノロジーモードにおける２つの組合せのいずれにおいても通常モードにおける２つの組合せよりも接続リンクレートが上回る。よって、この場合、ステップＳ３０８でＮＯ、つまり、判定部２４４は、接続条件の切り替えが不要と判定し、通信状態を維持する（Ｓ３０９）。その後、一定時間経過後に、無線ＬＡＮ中継器２００は、ステップＳ３０５と同様に、無線ＬＡＮ子機３００との接続リンクレートを取得する（Ｓ３１０）。これは、無線ＬＡＮ子機３００の移動、又は、無線ＬＡＮ子機３００との間の通信状況の変化に伴い、接続リンクレートが変動している可能性があるためである。そして、判定部２４４は、無線ＬＡＮ子機３００との接続リンクレートに変化があったか否かを判定する（Ｓ３１１）。ステップＳ３１１において変化がないと判定した場合、ステップＳ３０９からＳ３１１を繰り返す。ステップＳ３１１において変化があると判定した場合、第２の通信部２４２は、取得した接続リンクレートと接続条件とを対応付けて接続情報２３２としてメモリ２３０を更新する（Ｓ３１２）。
【００６８】
図１１は、本実施の形態２にかかるステップＳ３１２による更新後の無線ＬＡＮ子機３００と無線ＬＡＮ中継器２００との接続情報２３２の例を示す図である。図１１の例では、５ＧＨｚ帯の接続リンクレートは、ストリーム１ｓｓ、モードＶＨＴ８０において、ＭＣＳ２及び８７．８Ｍｂｐｓに更新されたことを示す。また、２．４ＧＨｚの接続リンクレートは、ストリーム１ｓｓ、モードＶＨＴ４０において、ＭＣＳ１及び２７Ｍｂｐｓに更新されたことを示す。
【００６９】
図６に戻り説明を続ける。例えば、図１１の場合には、ステップＳ３１１において変化があると判定され、ステップＳ３１２の後、算出部２４３は、再度、無線ＬＡＮ中継器２００は、無線ＬＡＮアクセスポイント１００と無線ＬＡＮ子機３００との間の接続リンクレートを算出する（Ｓ３０７）。
【００７０】
図１２は、本実施の形態２にかかる更新後の無線ＬＡＮアクセスポイント１００と無線ＬＡＮ子機３００との接続情報２３３の例を示す図である。図１２の例では、通常モードに相当する第１の通信帯域５ＧＨｚ及び第２の通信帯域５ＧＨｚの組合せでは、接続リンクレートが４３．９Ｍｂｐｓとして算出されたことを示す。また、通常モードに相当する第１の通信帯域２．４ＧＨｚ及び第２の通信帯域２．４ＧＨｚの組合せでは、接続リンクレートが２７Ｍｂｐｓとして算出されたことを示す。また、Ｆａｓｔ  Ｌａｎｅテクノロジーモードに相当する第１の通信帯域５ＧＨｚ及び第２の通信帯域２．４ＧＨｚの組合せでは、接続リンクレートが２７Ｍｂｐｓとして算出されたことを示す。また、Ｆａｓｔ  Ｌａｎｅテクノロジーモードに相当する第１の通信帯域２．４ＧＨｚ及び第２の通信帯域５ＧＨｚの組合せでは、接続リンクレートが８７．８Ｍｂｐｓとして算出されたことを示す。
【００７１】
つまり、図１２の例では、図１０の例と比べて各組合せにおいて接続リンクレートが下がったことを示すが、動作モードにより算出方法が異なるため、下がり方に違いがあることを示す。例えば、図１２の場合には、図６のステップＳ３０８において、Ｆａｓｔ  Ｌａｎｅテクノロジーモードが通常モードより通信性能が劣る組合せがあると判定され、図７のステップＳ３１３へ進む。
【００７２】
そして、第１の通信部２４１は、現在の無線接続における無線ＬＡＮアクセスポイント１００との第１の通信帯域を取得する（Ｓ３１３）。これは、無線ＬＡＮアクセスポイント１００がバンドステアリング機能により第１の通信帯域を切り替えている場合があるためである。そして、判定部２４４は、取得した第１の通信帯域を含むＦａｓｔ  Ｌａｎｅテクノロジーモードの接続リンクレートが、通常モードと比べて通信性能が劣るか否かを判定する（Ｓ３１４）。例えば、図１２において、取得した第１の通信帯域が２．４ＧＨｚの場合、第２の通信帯域が５ＧＨｚにおける接続リンクレートが８７．８Ｍｂｐｓであるため、ステップＳ３１４でＮＯと判定される。この場合、判定部２４４は、接続条件の切り替えが不要と判定し、通信状態を維持する（Ｓ３１５）。その後、一定時間経過後に、無線ＬＡＮ子機３００は、ステップＳ３０５と同様に、無線ＬＡＮ子機３００との接続リンクレートを取得する（Ｓ３１６）。そして、判定部２４４は、無線ＬＡＮ子機３００との接続リンクレートに変化がなかったか否かを判定する（Ｓ３１７）。
【００７３】
ステップＳ３１７において変化があると判定した場合、第２の通信部２４２は、取得した接続リンクレートと接続条件とを対応付けて接続情報２３２としてメモリ２３０を更新する（Ｓ３１８）。そして、図６のステップＳ３０７へ戻る。一方、ステップＳ３１７において変化がないと判定した場合、ステップＳ３１３へ戻る。
【００７４】
そして、第１の通信部２４１は、現在の無線接続における無線ＬＡＮアクセスポイント１００との第１の通信帯域を再度、取得する（Ｓ３１３）。続いて、判定部２４４は、取得した第１の通信帯域を含むＦａｓｔ  Ｌａｎｅテクノロジーモードの接続リンクレートが、通常モードと比べて通信性能が劣るか否かを判定する（Ｓ３１４）。例えば、図１２において、取得した第１の通信帯域が５ＧＨｚの場合、第２の通信帯域が２．４ＧＨｚにおける接続リンクレートが２７Ｍｂｐｓであるため、ステップＳ３１４でＹＥＳと判定される。この場合、判定部２４４は、接続条件の切り替えが必要と判定し、切替制御部２４６は、無線ＬＡＮ子機３００との第２の通信帯域を別の通信帯域に切り替えるように誘導する（Ｓ３１９）。すなわち、まず、切替制御部２４６は、Ｆａｓｔ  Ｌａｎｅテクノロジーモードの設定を一時的に解除する。そして、切替制御部２４６は、通知部２４５に対して無線ＬＡＮ子機３００に対する通知を指示する。次に、通知部２４５は、当該指示に応じて、ベースバンド部２２０及び２．４Ｇ送受信回路２１３又は５Ｇ送受信回路２１４を用いて、無線ＬＡＮ子機３００に対して通知情報を送信させる。ここで、通知情報は、無線ＬＡＮ中継器２００と無線ＬＡＮ子機３００との間で現在、無線接続されている第２の通信帯域を、別の通信帯域に切り替えるように促すメッセージである。
【００７５】
例えば図１２の場合、無線ＬＡＮ中継器２００がＦａｓｔ  Ｌａｎｅテクノロジーモードに設定済みで、ステップＳ３１３で取得された第１の通信帯域５ＧＨｚの場合、無線ＬＡＮ子機３００との間の現在の第２の通信帯域は２．４ＧＨｚとして無線接続されている。よって、上記通知情報は、無線ＬＡＮ子機３００のユーザに対して、無線ＬＡＮ中継器２００との無線接続の通信帯域を２．４ＧＨｚから５ＧＨｚへ切り替えるように誘導するものとなる。例えば、通知情報は、「５ＧＨｚ帯への接続に切り替えてください」等であってもよい。
【００７６】
これに応じて、例えば、無線ＬＡＮ子機３００の通信制御部３１０は、無線ＬＡＮ中継器２００から受信した通知情報を表示部３２０に表示させる。これにより、無線ＬＡＮ子機３００のユーザは、第２の接続条件の切り替えが必要であることを容易に把握できる。そして、無線ＬＡＮ子機３００のユーザは、必要に応じて、入力部３３０を介して第２の通信帯域を現在とは異なる他の通信帯域への切り替える指示を入力する。例えば、当該指示は、第２の通信帯域を５ＧＨｚへ切り替えるための指示となる。そして、入力部３３０は、接続条件の切り替えの指示を受け付け、通信制御部３１０は、受け付けた指示に応じて無線ＬＡＮ中継器２００との無線接続の通信帯域の切り替えを行う。これに伴い、通信制御部３１０は、無線ＬＡＮ中継器２００に対して通信帯域の切り替えの指示を送信する。
【００７７】
その後、切替制御部２４６は、無線ＬＡＮ子機３００からの切り替え指示に応じて、無線ＬＡＮ子機３００との第２の通信帯域を切り替える制御を行う（Ｓ３２０）。具体的には、切替制御部２４６は、第２の通信部２４２を制御して、無線ＬＡＮ子機３００と無線接続されている第２の通信帯域を切り替える。例えば、無線ＬＡＮ中継器２００が無線ＬＡＮ子機３００と２種類の通信帯域で接続可能な場合、第２の通信部２４２は、現在、無線接続されている通信帯域とは異なる通信帯域により再接続を行う。
【００７８】
尚、ステップＳ３１４でＹＥＳと判定された場合に、ステップＳ３１９及びＳ３２０の代わりに、切替制御部２４６は、動的に第２の通信帯域を切り替えてもよい。その場合、
無線ＬＡＮ中継器２００のＳＳＩＤ（Service Set IDentifier）を５ＧＨｚ及び２．４ＧＨｚにおいて同じ設定にしておけばよい。
【００７９】
以上のことから、本実施の形態により、通信状況に応じて、本来、通信性能の向上を目的で設定しているＦａｓｔ  Ｌａｎｅテクノロジーモードの方が通信性能で劣る場合であっても、その判定結果に応じて通常モードへ切り替えるように誘導等することができる。よって、Ｆａｓｔ  Ｌａｎｅテクノロジーモードに設定しているにも関わらず、通信性能を劣化させる状況を回避することが可能となる。
【００８０】
＜実施の形態３＞
本実施の形態３は、上述した実施の形態１の他の実施例である。すなわち、本実施の形態３にかかる算出部は、第１の組合せに対応する第３の通信速度が第２の組合せに対応する第３の通信速度より遅くなる場合における当該第１の組合せに対応する第２の通信速度を閾値として特定する。この場合、判定部は、現在の無線接続における第２の通信速度が閾値以下である場合に、切り替えが必要と判定する。これにより、無線中継装置がリンクアダプテーション機能に対応している場合でも、適切な切り替え判定ができる。
【００８１】
さらに、記憶部は、第２の無線通信装置と無線中継装置の間の無線接続に対応する複数の空間ストリーム数のそれぞれに対応した複数の第２の通信速度を予め記憶するとよい。この場合、算出部は、複数の第２の通信速度のうち、現在の無線接続における空間ストリーム数に対応した通信速度を用いて、複数の第３の通信速度を算出する。これにより、複数の空間ストリームに対応できる。
【００８２】
尚、本実施の形態３にかかる無線中継システムは、図３と同等であるため、図示及び重複する説明を省略する。図１３は、本実施の形態３にかかる無線ＬＡＮ中継器２００ａの構成を示すブロック図である。無線ＬＡＮ中継器２００ａは、上述した無線ＬＡＮ中継器２００に変更を加えたものである。特に、無線ＬＡＮ中継器２００ａは、リンクアダプテーション機能を有し、無線ＬＡＮ子機３００との間の接続条件ごとの接続リンクレートは予め決まっているものとする。以下、無線ＬＡＮ中継器２００との違いを中心に説明し、同等の構成について詳細な説明を省略するものとする。
【００８３】
接続情報２３２ａは、上述した第２の接続条件１３２１と第２の通信速度１３２２とを対応付けた情報の一例であり、接続条件ごとの通信速度のデータベースと呼ぶこともできる。特に、接続情報２３２ａは、対応ストリーム数ごとに接続リンクレートのテーブルを有するものとする。プログラム２３４ａは、本実施の形態３にかかる無線接続制御処理が実装されたコンピュータプログラムの一例である。
【００８４】
ＣＰＵ２４０は、上述した記憶装置からプログラム２３４ａをメモリ２３０へロードして、実行する。これにより、ＣＰＵ２４０は、第１の通信部２４１、第２の通信部２４２ａ、算出部２４３ａ、判定部２４４ａ、通知部２４５及び切替制御部２４６の機能を実現する。
【００８５】
第２の通信部２４２ａは、無線ＬＡＮ子機３００との接続時に、無線ＬＡＮ子機３００の対応ストリーム数を取得する。算出部２４３ａは、取得した対応ストリーム数に応じたテーブルから接続リンクレートを読み出して、無線ＬＡＮアクセスポイント１００と無線ＬＡＮ子機３００との間の接続リンクレートを算出する。また、算出部２４３ａは、第１の組合せに対応する第３の通信速度が第２の組合せに対応する第３の通信速度より遅くなる場合における当該第１の組合せに対応する第２の通信速度を閾値として特定する。そして、判定部２４４ａは、現在の無線接続における第２の通信速度が閾値以下である場合に、切り替えが必要と判定する。
【００８６】
図１４及び図１５は、本実施の形態３にかかる無線接続制御処理の流れを説明するためのフローチャートである。まず、ステップＳ９０１からＳ９０４は、上述したステップＳ３０１からＳ３０４と同様であるため、説明を省略する。次に、第２の通信部２４２ａは、接続された無線ＬＡＮ子機３００の対応ストリーム数を取得する（Ｓ９０５）。そして、算出部２４３ａは、取得した対応ストリーム数に応じた接続リンクレートのテーブル（接続情報２３２ａ）を参照する（Ｓ９０６）。例えば、無線ＬＡＮ子機３００の対応ストリーム数が１ストリームの場合、算出部２４３ａは、１ストリーム用の接続リンクレートのテーブルを参照する。また、無線ＬＡＮ子機３００の対応ストリーム数が２ストリームの場合、算出部２４３ａは、２ストリーム用の接続リンクレートのテーブルを参照する。尚、以下の説明では、無線ＬＡＮ子機３００の対応ストリーム数が２ストリームであったものとする。図１６は、本実施の形態３にかかる２．４ＧＨｚ帯の２ストリームの無線ＬＡＮ子機との接続情報２３２ａの例を示す図である。図１７は、本実施の形態３にかかる５ＧＨｚ帯の２ストリームの無線ＬＡＮ子機との接続情報２３２ａの例を示す図である。
【００８７】
図１４に戻り説明を続ける。ステップＳ９０６の後、無線ＬＡＮ中継器２００ａは、無線ＬＡＮアクセスポイント１００と無線ＬＡＮ子機３００との間の接続リンクレートを算出する（Ｓ９０７）。すなわち、算出部２４３ａは、接続情報２３１と、ステップＳ９０６で参照した接続情報２３２ａとに基づき、複数の組合せごとの接続リンクレートを算出する。
【００８８】
図１８及び図１９は、本実施の形態３にかかる無線ＬＡＮアクセスポイントと無線ＬＡＮ子機との接続情報の例を示す図である。図１８は、無線ＬＡＮアクセスポイント１００と無線ＬＡＮ中継器２００ａの間の第１の通信帯域が２．４ＧＨｚであり、その際の接続リンクレート（第１の通信速度）が１０８Ｍｂｐｓである場合を示す。そして、図１８はこの場合における複数の第２の通信帯域のそれぞれにおける、第３の通信速度（接続リンクレート）の算出結果を示す。ここで、第２の通信帯域が５ＧＨｚ、無線ＬＡＮ中継器２００ａと無線ＬＡＮ子機３００の接続リンクレートが１ストリーム、ＶＨＴ８０、ＭＣＳ０の場合、Ｆａｓｔ  Ｌａｎｅテクノロジーモードの方が通信性能の劣る可能性があることを示す。すなわち、第２の通信帯域が５ＧＨｚ、１ストリーム、ＶＨＴ８０、ＭＣＳ０で接続されている場合に、第２の通信帯域を２．４ＧＨｚに切替えて、２ストリーム、ＶＨＴ４０、ＭＣＳ２以上で接続した場合、通信性能が向上する可能性がある。
【００８９】
図１９は、無線ＬＡＮアクセスポイント１００と無線ＬＡＮ中継器２００ａの間の第１の通信帯域が５ＧＨｚであり、その際の接続リンクレート（第１の通信速度）が１７５．５Ｍｂｐｓである場合を示す。そして、図１９はこの場合における複数の第２の通信帯域のそれぞれにおける、第３の通信速度（接続リンクレート）の算出結果を示す。ここで、第２の通信帯域が５ＧＨｚ、無線ＬＡＮ中継器２００ａと無線ＬＡＮ子機３００の接続リンクレートが２ストリーム、ＶＨＴ４０、ＭＣＳ２以下の場合、Ｆａｓｔ  Ｌａｎｅテクノロジーモードの方が通信性能の劣る可能性があることを示す。すなわち、第２の通信帯域が２．４ＧＨｚ、２ストリーム、ＶＨＴ４０、ＭＣＳ２で接続されている場合に、第２の通信帯域を５ＧＨｚに切替えて、２ストリーム、ＶＨＴ８０、ＭＣＳ２以上で接続した場合、通信性能が向上する可能性がある。
【００９０】
図１５に戻り説明を続ける。ステップＳ９０７の後、無線ＬＡＮ中継器２００ａは、無線ＬＡＮ子機３００との接続リンクレートの閾値を特定する（Ｓ９０８）。このとき、算出部２４３ａは、例えば、第１の通信帯域が２．４ＧＨｚ及び第２の通信帯域が５ＧＨｚの場合、閾値を（１ストリーム、ＶＨＴ８０、ＭＣＳ０の場合の）２９．３Ｍｂｐｓと特定する。また、算出部２４３ａは、例えば、第１の通信帯域が５ＧＨｚ及び第２の通信帯域が２．４ＧＨｚの場合、閾値を（２ストリーム、ＶＨＴ４０、ＭＣＳ２の場合の）８１Ｍｂｐｓと特定する。そして、算出部２４３ａは、特定した閾値を閾値２３５としてメモリ２３０に登録する。尚、閾値２３５は、上述した「１ストリーム、ＶＨＴ８０、ＭＣＳ０」又は「２ストリーム、ＶＨＴ４０、ＭＣＳ２」といった、テーブルから無線ＬＡＮ子機３００との接続リンクレートの閾値を特定可能な条件としてもよい。
【００９１】
その後、無線ＬＡＮ中継器２００ａは、ステップＳ３０５と同様に、無線ＬＡＮ子機３００との接続リンクレートを取得する（Ｓ９０９）。但し、第２の通信部２４２ａは、少なくとも現在、無線ＬＡＮ子機３００と無線接続された第２の接続条件における第２の通信速度を取得するものとする。そして、無線ＬＡＮ中継器２００ａの判定部２４４ａは、ステップＳ９０９において取得された接続リンクレートが閾値２３５以下であるか否かを判定する（Ｓ９１０）。接続リンクレートが閾値２３５以下でない場合、通信状態を維持する（Ｓ９１１。その後、一定時間経過後に、ステップＳ９０９及びＳ９１０を行う。
【００９２】
ステップＳ９１０において、接続リンクレートが閾値２３５以下である場合、判定部２４４ａは、現在の無線ＬＡＮアクセスポイント１００と無線ＬＡＮ子機３００との接続リンクレートをメモリ２３０に格納する（Ｓ９１２）。そして、第２の通信部２４２ａは、無線ＬＡＮ子機３００との通信帯域を仮で切り替える（Ｓ９１３）。例えば、現在の第１の通信帯域が２．４ＧＨｚ及び第２の通信帯域が５ＧＨｚの場合、第２の通信帯域を２．４ＧＨｚに仮で切り替える。また、現在の第１の通信帯域が５ＧＨｚ及び第２の通信帯域が２．４ＧＨｚの場合、第２の通信帯域を５ＧＨｚに仮で切り替える。
【００９３】
そして、第２の通信部２４２ａは、仮で切り替えた場合の無線ＬＡＮ子機３００との接続リンクレート（第２の通信速度）を取得する（Ｓ９１４）。その後、算出部２４３ａは、ステップＳ９１４で取得した接続リンクレートと、接続情報２３１内の現在の第１の通信帯域における接続リンクレートを用いて、無線ＬＡＮアクセスポイント１００と無線ＬＡＮ子機３００の接続リンクレートを算出する（Ｓ９１５）。そして、判定部２４４ａは、ステップＳ９１５で算出された接続リンクレート（第３の通信速度）が、ステップＳ９１２で格納された接続リンクレート以上であるか否かを判定する（Ｓ９１６）。ステップＳ９１６において接続リンクレート以上でないと判定した場合、ステップＳ９１１へ戻る。一方、ステップＳ９１６において接続リンクレート以上であると判定した場合、上述したステップＳ３１９及びＳ３２０と同様に、ステップＳ９１７及びＳ９１８を実行する。つまり、切替制御部２４６は、Ｆａｓｔ  Ｌａｎｅテクノロジーモードを一時的に解除し、無線ＬＡＮ子機３００からの切り替え指示に応じて、現在の第２の通信帯域を他の通信帯域に切り替える。例えば、現在の第１の通信帯域が２．４ＧＨｚ及び第２の通信帯域が５ＧＨｚの場合、第２の通信帯域を２．４ＧＨｚに切り替える。また、現在の第１の通信帯域が５ＧＨｚ及び第２の通信帯域が２．４ＧＨｚの場合、第２の通信帯域を５ＧＨｚに切り替える。
【００９４】
このように、本実施の形態３では、無線中継装置がリンクアダプテーション機能に対応している場合でも、閾値を用いることにより、適切な切り替え判定ができる。また、複数の空間ストリームに対応できる。
【００９５】
＜その他の実施の形態＞
尚、上述の実施の形態では、ハードウェアの構成として説明したが、これに限定されるものではない。本開示は、任意の処理を、ＣＰＵ（Central Processing Unit）にコンピュータプログラムを実行させることにより実現することも可能である。
【００９６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
なお、本開示は上記実施の形態に限られたものではなく、趣旨を逸脱しない範囲で適宜変更することが可能である。また、本開示は、それぞれの実施の形態を適宜組み合わせて実施されてもよい。
【００９８】
上記の実施形態の一部又は全部は、以下の付記のようにも記載され得るが、以下には限られない。
（付記Ａ１）
第１の無線通信装置と自己の間で複数の第１の接続条件のそれぞれにより無線接続された場合の複数の第１の通信速度と、第２の無線通信装置と自己の間で複数の第２の接続条件のそれぞれにより無線接続された場合の複数の第２の通信速度と、を記憶する記憶部と、
前記記憶部を参照して、前記第１の接続条件と前記第２の接続条件の複数の組合せのそれぞれについて、自己を介した前記第１の無線通信装置と前記第２の無線通信装置の間の複数の第３の通信速度を算出する算出部と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定部と、
前記判定部により切り替えが必要と判定されたことに応じて、前記第１の組合せから前記第２の組合せへの接続条件の切り替えを制御する切替制御部と、
を備える無線中継装置。
（付記Ａ２）
前記第１の接続条件は、前記第１の無線通信装置と前記無線中継装置の間の無線接続における第１の通信帯域を含み、
前記第２の接続条件は、前記第２の無線通信装置と前記無線中継装置の間の無線接続における第２の通信帯域を含み、
前記第１の組合せに含まれる前記第１の通信帯域と前記第２の通信帯域は、異なる通信帯域であり、
前記第２の組合せに含まれる前記第１の通信帯域と前記第２の通信帯域は、同一の通信帯域である、
付記Ａ１に記載の無線中継装置。
（付記Ａ３）
前記第１の通信帯域は、
前記無線接続における親機である前記第１の無線通信装置と前記無線中継装置との間の通信帯域であり、
前記第２の通信帯域は、
前記無線接続における子機である前記第２の無線通信装置と前記無線中継装置との間の通信帯域であり、
前記切替制御部は、
前記判定部により切り替えが必要と判定されたことに応じて、前記第２の組合せに含まれる前記第２の通信帯域へ切り替えるように制御する
付記Ａ２に記載の無線中継装置。
（付記Ａ４）
前記第１の通信帯域は、
前記第１の無線通信装置において電波状況に応じて切り替え可能であり、
前記判定部は、
前記複数の組合せのうち、前記現在の無線接続における前記第１の通信帯域と前記第２の通信帯域とを含む組合せを前記第１の組合せとして特定して、前記切り替えの要否を判定する
付記Ａ２又はＡ３に記載の無線中継装置。
（付記Ａ５）
前記無線中継装置は、
前記第１の通信帯域と前記第２の通信帯域とが異なるように前記無線接続を制御するための第１の動作モードで動作し、
前記第１の組合せは、
前記第１の動作モードに対応する前記第１の通信帯域と前記第２の通信帯域とを含み、
前記切替制御部は、
前記判定部により切り替えが必要と判定されたことに応じて、前記第１の動作モードを解除し、前記第１の組合せから前記第２の組合せへの接続条件の切り替えを制御する
付記Ａ２乃至Ａ４のいずれか１項に記載の無線中継装置。
（付記Ａ６）
前記算出部は、
前記第１の組合せに対応する前記第１の通信速度と前記第２の通信速度から第１の算出方法により前記第３の通信速度を算出し、
前記第２の組合せに対応する前記第１の通信速度と前記第２の通信速度から、前記第１の算出方法とは異なる第２の算出方法により前記第３の通信速度を算出する
付記Ａ２乃至Ａ５のいずれか１項に記載の無線中継装置。
（付記Ａ７）
前記第１の無線通信装置との通信確立時に、前記複数の第１の通信速度を取得し、前記複数の第１の接続条件のそれぞれと対応する前記複数の第１の通信速度を前記記憶部に登録する第１の通信部をさらに備える
付記Ａ１乃至Ａ６のいずれか１項に記載の無線中継装置。
（付記Ａ８）
前記判定部により切り替えが不要と判定された場合に、前記複数の第２の通信速度を取得し、当該取得した複数の第２の通信速度により前記記憶部を更新する第２の通信部をさらに備え、
前記算出部は、
前記記憶部が更新された場合に、前記複数の第３の通信速度を再算出し、
前記判定部は、
前記再算出された場合に、前記切り替えの要否を再度、判定する
付記Ａ１乃至Ａ７のいずれか１項に記載の無線中継装置。
（付記Ａ９）
前記第２の通信部は、前記第２の無線通信装置との接続時に、前記複数の第２の通信速度を取得し、前記複数の第２の接続条件のそれぞれと対応する前記複数の第２の通信速度を前記記憶部に登録する
付記Ａ８に記載の無線中継装置。
（付記Ａ１０）
前記算出部は、
前記第１の組合せに対応する前記第３の通信速度が前記第２の組合せに対応する前記第３の通信速度より遅くなる場合における当該第１の組合せに対応する前記第２の通信速度を閾値として特定し、
前記判定部は、
前記現在の無線接続における前記第２の通信速度が前記閾値以下である場合に、前記切り替えが必要と判定する
付記Ａ１乃至Ａ８のいずれか１項に記載の無線中継装置。
（付記Ａ１１）
前記記憶部は、
前記第２の無線通信装置と前記無線中継装置の間の無線接続に対応する複数の空間ストリーム数のそれぞれに対応した前記複数の第２の通信速度を予め記憶し、
前記算出部は、
前記複数の第２の通信速度のうち、前記現在の無線接続における前記空間ストリーム数に対応した通信速度を用いて、前記複数の第３の通信速度を算出する、
付記Ａ１０に記載の無線中継装置。
（付記Ａ１２）
前記判定部により切り替えが必要と判定された場合に、前記第１の組合せに含まれる前記第２の接続条件を、前記第２の組合せに含まれる前記第２の接続条件へ切り替えるように前記第２の無線通信装置に対して通知する通知部をさらに備え、
前記切替制御部は、
前記第２の無線通信装置から前記通知に応じた切り替えの指示を受け付けた場合に、前記接続条件の切り替えを制御する
付記Ａ１乃至Ａ１１のいずれか１項に記載の無線中継装置。
（付記Ｂ１）
第１の無線通信装置と、
第２の無線通信装置と、
前記第１の無線通信装置と前記第２の無線通信装置との無線通信を中継する無線中継装置と、
を備え、
前記無線中継装置は、
前記第１の無線通信装置と前記無線中継装置の間で複数の第１の接続条件のそれぞれにより無線接続された場合の複数の第１の通信速度と、前記第２の無線通信装置と前記無線中継装置の間で複数の第２の接続条件のそれぞれにより無線接続された場合の複数の第２の通信速度と、を記憶する記憶部と、
前記記憶部を参照して、前記第１の接続条件と前記第２の接続条件の複数の組合せのそれぞれについて、前記無線中継装置を介した前記第１の無線通信装置と前記第２の無線通信装置の間の複数の第３の通信速度を算出する算出部と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定部と、
前記判定部により切り替えが必要と判定されたことに応じて、前記第１の組合せから前記第２の組合せへの接続条件の切り替えを制御する切替制御部と、
を備える
無線中継システム。
（付記Ｂ２）
前記第１の接続条件は、前記第１の無線通信装置と前記無線中継装置の間の無線接続における第１の通信帯域を含み、
前記第２の接続条件は、前記第２の無線通信装置と前記無線中継装置の間の無線接続における第２の通信帯域を含み、
前記第１の組合せに含まれる前記第１の通信帯域と前記第２の通信帯域は、異なる通信帯域であり、
前記第２の組合せに含まれる前記第１の通信帯域と前記第２の通信帯域は、同一の通信帯域である、
付記Ｂ１に記載の無線中継システム。
（付記Ｃ１）
無線中継装置が、
第１の無線通信装置と前記無線中継装置の間で複数の第１の接続条件のそれぞれにより無線接続された場合の複数の第１の通信速度と、第２の無線通信装置と前記無線中継装置の間で複数の第２の接続条件のそれぞれにより無線接続された場合の複数の第２の通信速度と、を記憶する記憶装置を参照して、前記第１の接続条件と前記第２の接続条件の複数の組合せのそれぞれについて、前記無線中継装置を介した前記第１の無線通信装置と前記第２の無線通信装置の間の複数の第３の通信速度を算出し、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定し、
前記切り替えが必要と判定されたことに応じて、前記第１の組合せから前記第２の組合せへの接続条件の切り替えを制御する
無線接続制御方法。
（付記Ｄ１）
第１の無線通信装置と自己の間で複数の第１の接続条件のそれぞれにより無線接続された場合の複数の第１の通信速度と、第２の無線通信装置と自己の間で複数の第２の接続条件のそれぞれにより無線接続された場合の複数の第２の通信速度と、を記憶する記憶装置を参照して、前記第１の接続条件と前記第２の接続条件の複数の組合せのそれぞれについて、自己を介した前記第１の無線通信装置と前記第２の無線通信装置の間の複数の第３の通信速度を算出する算出処理と、
前記複数の組合せのうち現在の無線接続における第１の組合せに対応する前記第３の通信速度が、当該複数の組合せのうち第２の組合せに対応する前記第３の通信速度より遅い場合に、当該第１の組合せの接続条件の切り替えが必要と判定する判定処理と、
前記切り替えが必要と判定されたことに応じて、前記第１の組合せから前記第２の組合せへの接続条件の切り替えを制御する切替制御処理と、
をコンピュータに実行させる無線接続制御プログラム。
【符号の説明】
【００９９】
１０００  無線中継システム
１  第１の無線通信装置
２  第２の無線通信装置
３  無線中継装置
３１  記憶部
１３１１  第１の接続条件
１３１２  第１の通信速度
１３２１  第２の接続条件
１３２２  第２の通信速度
３２  算出部
３３  判定部
３４  切替制御部
２０００  無線中継システム
１００  無線ＬＡＮアクセスポイント
１０１  ２．４Ｇアンテナ
１０２  ５Ｇアンテナ
１１０  通信帯域制御部
２００  無線ＬＡＮ中継器
２００ａ  無線ＬＡＮ中継器
２０１  ２．４Ｇアンテナ
２０２  ５Ｇアンテナ
２０３  ２．４Ｇアンテナ
２０４  ５Ｇアンテナ
２１１  ２．４Ｇ送受信回路
２１２  ５Ｇ送受信回路
２１３  ２．４Ｇ送受信回路
２１４  ５Ｇ送受信回路
２２０  ベースバンド部
２３０  メモリ
２３１  接続情報
２３２  接続情報
２３２ａ  接続情報
２３３  接続情報
２３４  プログラム
２３４ａ  プログラム
２３５  閾値
２４０  ＣＰＵ
２４１  第１の通信部
２４２  第２の通信部
２４２ａ  第２の通信部
２４３  算出部
２４３ａ  算出部
２４４  判定部
２４４ａ  判定部
２４５  通知部
２４６  切替制御部
３００  無線ＬＡＮ子機
３０１  アンテナ
３１０  通信制御部
３２０  表示部
３３０  入力部
３４０  通信帯域制御部
【図１】
2019208116.tif 000003
【図２】
2019208116.tif 000004
【図３】
2019208116.tif 000005
【図４】
2019208116.tif 000006
【図５】
2019208116.tif 000007
【図６】
2019208116.tif 000008
【図７】
2019208116.tif 000009
【図８】
2019208116.tif 000010
【図９】
2019208116.tif 000011
【図１０】
2019208116.tif 000012
【図１１】
2019208116.tif 000013
【図１２】
2019208116.tif 000014
【図１３】
2019208116.tif 000015
【図１４】
2019208116.tif 000016
【図１５】
2019208116.tif 000017
【図１６】
2019208116.tif 000018
【図１７】
2019208116.tif 000019
【図１８】
2019208116.tif 000020
【図１９】
2019208116.tif 000021